(57)【要約】【課題】本考案は可動の差し込み式建築模型に関するものである。【解決手段】この模型は複数の床部材１と、壁部材と、例えば扉や窓のような付属品とを備える。床部材１は互いに継ぎ合わせている。床部材１の互いに継ぎ合わせ部には、長尺状の継ぎ合わせ部材が嵌合挿入されている。壁部材は板部材２とジョイント部材５とを備え、板部材２とジョイント部材５との間は、互いに嵌合挿入により連結され、床部材１と板部材２およびジョイント部材５とが互いに嵌合挿入により連結される。【選択図】  図１
0003117169.tif 000002
【実用新案登録請求の範囲】
【請求項１】
床部材と、壁部材と、扉や窓のような付属部材とを備える差し込み式組み立て建築模型であって、
前記床部材が、互いに継ぎ合わされ、その継ぎ合わせ部には、長尺状の継ぎ合わせ部材が嵌合挿入され、
前記壁部材が、板部材とジョイント部材とを備え、前記板部材と前記ジョイント部材とは互いに嵌合挿入されて結合され、
前記床部材と前記板部材、前記壁部材と前記ジョイント部材とが互いに嵌合挿入されることにより結合されることを特徴とする差し込み式組み立て建築模型。
【請求項２】
前記床部材の各辺縁にホゾが設けられており、前記ホゾと前記床部材の側縁とはＨ字形を呈し、前記床部材の側縁の上・下外縁には延出する差し込み溝が設けられており、
前記床部材を互いに継ぎ合わせる長尺状の継ぎ合わせ部材は、その底面が前記ホゾと係合する凹溝に、そしてその上面が差し込み溝と係合する凸状に形成されたものであり、
前記板部材と前記ジョイント部材との間には、凹凸部、継ぎ合わせ、又はフック式の連結構造を採用し、
前記板部材の上・下縁には、前記床部材のホゾと係合する凹溝、平面、又はホゾが設けられ、その凹溝、平面、又はホゾが前記床部材の差し込み溝と前記床部材のホゾから構成される凹溝内に直接挿入され、
前記ジョイント部材の上・下縁には、前記床部材のホゾと係合する凹溝、平面、又はホゾが設けられ、その凹溝、平面、又はホゾが前記床部材の差し込み溝と前記床部材のホゾから構成される凹溝内に直接挿入されることを特徴とする請求項１に記載の差し込み式組み立て建築模型。
【請求項３】
前記扉や窓のような付属部材が、扉や窓枠の周辺と対応位置にある板部材またはジョイント部材とが差し込まれて係合され、前記扉や窓枠の外側に「Ｌ」字形の長尺状差し込み部材が延設されているものであることを特徴とする請求項１に記載の差し込み式組み立て建築模型。
【請求項４】
前記床部材の各辺には、前記床部材の面と平行する凹溝またはホゾが設けられており、前記床部材側縁の上・下の外縁には延出する差し込み溝または平面が設けられており、
前記床部材の連結部材の中央は一字形、十字形、またはＴ字形を呈し、前記連結部材の両端と前記床部材との連結が、直接連結、燕尾状またはＴ字形の係合となり、前記床部材同士と前記連結部材とで凹溝またはホゾを構成し、そこに前記板部材と前記ジョイント部材の上・下ホゾ又は凹溝とが差し込まれて連結されることを特徴とする請求項１に記載の差し込み式組み立て建築模型。
【請求項５】
前記床部材の各辺縁にホゾが設けられており、そのホゾの幅が、それと係合する凹溝の溝幅の１／２であり、突き合わせる２枚の床部材が、前記ホゾにより継ぎ合わされ、
前記床部材の外側縁において、一字形、又はＴ字形であって溝幅が１／２の長尺状ホゾによって係合されることを特徴とする請求項１に記載の差し込み式組み立て建築模型。
【請求項６】
前記床部材の各辺縁にホゾが設けられており、ホゾが間隔をあけて設けられており、２枚の前記床部材の間に突き合わせるホゾが継ぎ合わせることを特徴とする請求項１に記載の差し込み式組み立て建築模型。
【請求項７】
前記板部材と前記ジョイント部材との間に嵌合挿入構造があり、その嵌合挿入構造が凹凸部連結構造であり、ホゾと凹溝とが係合される構造をなし、
前記ホゾが、長尺状のホゾ、柱状のホゾ、又は歯状のホゾであり、
前記凹溝が、前記ホゾに対応して設けられた長尺状の凹溝、又は柱状の凹溝若しくは歯状の凹溝であることを特徴とする請求項１に記載の差し込み式組み立て建築模型。
【請求項８】
前記板部材とジョイント部材とを互いに継ぎ合わせる構造であり、その構造が平面、若しくはＬ字形断面、又は段差がある端面を互いに貼り合わせることによるものであることを特徴とする請求項１に記載の差し込み式組み立て建築模型。
【請求項９】
前記板部材とジョイント部材とを一体化させることができ、また、複数の嵌合により継ぎ合わせることもできることを特徴とする請求項１に記載の差し込み式組み立て建築模型。
【請求項１０】
断面がＨ字形であるホゾ及び外壁装飾部材が設けられており、前記Ｈ字形の長尺状ホゾの一方の側縁がホゾと継ぎ合わせ、板部材およびジョイント部材の他方の側縁の凹溝が、外壁装飾部材と差し込みにより連結することを特徴とする請求項１に記載の差し込み式組み立て建築模型。
【考案の詳細な説明】
【技術分野】
【０００１】
本考案は建築模型に関し、特に差し込み式組み立て建築模型に関する。
【背景技術】
【０００２】
従来、本物を縮小・模倣した建築模型は、外観こそ本物とそっくりであったが、一旦構築すると変更が不可能で、且つ堅牢ではなかった。
【考案の開示】
【考案が解決しようとする課題】
【０００３】
上記の従来技術に存在する欠点を解決するために、本考案は、本物模倣効果が大で、任意に空間を調整することができ、構築し易く、構造が堅牢で、良好な外観を有する差し込み式組み立て建築模型を提供することを目的とする。
【課題を解決するための手段】
【０００４】
上記の目的を達成するために、本考案に係る差し込み式組み立て建築模型が採用する技術は、床部材と、壁部材および扉や窓のような付属部材とを備える差し込み式組み立て建築模型を提供する。
【０００５】
前記床部材が、互いに継ぎ合わされ、その継ぎ合わせ部には、長尺状の継ぎ合わせ部材が嵌合挿入され、前記壁部材が、板部材とジョイント部材とを備え、前記板部材と前記ジョイント部材とは互いに嵌合挿入されて結合され、前記床部材と前記板部材、前記壁部材と前記ジョイント部材とが互いに嵌合挿入されることにより結合される。
【０００６】
前記床部材の各辺縁にホゾが設けられており、前記ホゾと前記床部材の側縁とはＨ字形を呈し、前記床部材の側縁の上・下外縁には延出する差し込み溝が設けられており、前記床部材を互いに継ぎ合わせる長尺状の継ぎ合わせ部材は、その底面が前記ホゾと係合する凹溝に、そしてその上面が差し込み溝と係合する凸状に形成されたものであり、前記板部材と前記ジョイント部材との間には、凹凸部、継ぎ合わせ、又はフック式の連結構造を採用し、前記板部材の上・下縁には、前記床部材のホゾと係合する凹溝、平面、又はホゾが設けられ、その凹溝、平面、又はホゾが前記床部材の差し込み溝と前記床部材のホゾから構成される凹溝内に直接挿入され、前記ジョイント部材の上・下縁には、前記床部材のホゾと係合する凹溝、平面、又はホゾが設けられ、その凹溝、平面、又はホゾが前記床部材の差し込み溝と前記床部材のホゾから構成される凹溝内に直接挿入される。
【０００７】
前記扉や窓のような付属部材が、扉や窓枠の周辺と対応位置にある板部材またはジョイント部材とが差し込まれて係合され、前記扉や窓枠の外側に「Ｌ」字形の長尺状差し込み部材が延設されているものである。
【０００８】
前記床部材の各辺には、前記床部材の面と平行する凹溝またはホゾが設けられており、前記床部材側縁の上・下の外縁には延出する差し込み溝または平面が設けられており、前記床部材の連結部材の中央は一字形、十字形、またはＴ字形を呈し、前記連結部材の両端と前記床部材との連結が、直接連結、燕尾状またはＴ字形の係合となり、前記床部材同士と前記連結部材とで凹溝またはホゾを構成し、そこに前記板部材と前記ジョイント部材の上・下ホゾ又は凹溝とが差し込まれて連結される。
【０００９】
前記床部材の各辺縁にホゾが設けられており、そのホゾの幅が、それと係合する凹溝の溝幅の１／２であり、突き合わせる２枚の床部材が、前記ホゾにより継ぎ合わされ、前記床部材の外側縁において、一字形、又はＴ字形であって溝幅が１／２の長尺状ホゾによって係合される。
【００１０】
前記床部材の各辺縁にホゾが設けられており、ホゾが間隔を開けて設けられており、２枚の前記床部材の間に突き合わせるホゾが継ぎ合わせる。
【００１１】
前記板部材と前記ジョイント部材との間に嵌合挿入構造があり、その嵌合挿入構造が凹凸部連結構造であり、ホゾと凹溝とが係合される構造をなし、前記ホゾが、長尺状のホゾ、柱状のホゾ、又は歯状のホゾであり、前記凹溝が、前記ホゾに対応して設けられた長尺状の凹溝、又は柱状の凹溝若しくは歯状の凹溝である。
【００１２】
前記板部材とジョイント部材とを互いに継ぎ合わせる構造であり、その構造が平面、若しくはＬ字形断面、又は段差がある端面を互いに貼り合わせることによるものである。
【００１３】
前記板部材とジョイント部材とが、一体化させることができ、また、複数の嵌合により継ぎ合わせることもできるものである。
【００１４】
断面がＨ字形にするホゾ及び外壁装飾部材が設けられており、前記Ｈ字形の長尺状ホゾの一方の側縁がホゾと継ぎ合わせ、板部材およびジョイント部材の他方の側縁の凹溝が外壁装飾部材と差し込みにより連結する。
【００１５】
本考案は下記の優れた点を有する。
１．  本考案は、写実的な建築模様によってその構成部材を設計しているため、模倣性が非常に高く、構築された建築物の外観が本物とそっくりであり、実際の建築物と同様の室内空間、ベランダ、廊下を備えている。
２．  本考案は、主に部材の間の凹凸境界面により連接し、且つ長尺状の継ぎ合わせ部材などの嵌合挿入部材と組合わせることにより、組み立てと分解が容易にでき、構造が堅牢である。
３．  本考案は、多種類の異なる形状の構成部材を選択して構築することができ、必要に応じて任意のブロック配置、フロアレイアウト、フロアの高さなどを満足させることができる。
４．  本考案は、模倣性が極めて高く、構造が堅牢であるため、具体的な応用において建築模型とすることができ、不動産業界において大きな役割を果たすことができる。
５．  本考案は、組み立てと分解が容易で、レイアウトが変更でき、構成部材のサイズが自在で、大きいサイズの場合はオペレータがブロック内において「施工」を行い、異なる階数、室内空間、形状の建築物を構築することができ、構築と同時に、異なる外壁部材および扉や窓の装飾を行うことにより、異なる様式、風格の建築物を構築することができ、屋根、手すり及び柱を組み合わせる等、制限がなく変化させることができる。
６．  本考案の構造を利用すれば、合理的に材料を選定することにより、実用上意味のある可動建築物を実現することができる。建築物の異なる部位によってその構成部材を分類設計し、建築物を分解することや組み立てることも可能にさせ、自己設計、自己構築、家と部屋を一斉に運び移す夢を実現できる。
７．  本考案は、舞台背景建築物が一回きりの固定構築となることを改善することにより、情景の必要に応じて構成部材を用いて背景を構築することができる。
８．  本考案は、人々に娯楽場所で自己設計し、各種の異なる風格、高さ、サイズの建築物を構築することを提供することができる。
【考案を実施するための最良の形態】
【００１６】
本考案の代表的な実施態様に係る差し込み式組み立て建築模型は、図１に示すように、床部材１と壁部材とを備え、その内、壁部材は板部材２とジョイント部材５とを備える。
【００１７】
図２に示すように、本実施態様の床部材１各辺には、この床部材と直交するホゾ３が設けられており、ホゾ３は床部材の側面とＨ字形をなし、床部材側面にはその上・下外縁に延出した差し込み溝４が設けられている。床部材１は互いに当接し、そして長尺状の継ぎ合わせ部材９が挿入される。継ぎ合わせ部材９の底面には、ホゾ３と係合する凹溝が設けられており、その上面には差し込み溝４と係合する突起が設けられている。
【００１８】
図３に示すように、継ぎ合わされた床面の一体性を保証するために、長尺状の継ぎ合わせ部材９の両端は、図３に示すような構造を採用すべきであり、その上面部は底面部に比し突出している。
【００１９】
図４、図５に示すように、本実施態様の床部材１において、そのホゾ３の幅は、それと係合する凹溝の溝幅の１／２である。図１１に示すように、２枚の床部材１の当接する側辺は、ホゾ３同士が継ぎ合わされた後、対応する長尺状の継ぎ合わせ部材９の底面部の凹溝もしくは板部材の凹溝６及びジョイント凹溝８と係合され得る。このような構造において、外壁部の床部材１と板部材２との間で差し込みを行なう時には、床部材のホゾ３と同じ幅の長尺状ホゾ１０を配置する必要がある。具体的には、長尺状ホゾ１０を外壁部の床部材のホゾ３と継ぎ合わせた後、ホゾ１０と継ぎ合わせてあるホゾ３の上に板部材２及びジョイント部材５を差し込む。具体的な実施態様において、図４６に示すように、板部材２は、その平面がホゾにより床部材差し込み溝と、床部材のホゾとから構成された凹溝内に直接挿入されるようにすることもできる。
【００２０】
図６、図７に示すように、床部材１のホゾ３は他の構造を採用することもできる。そこではホゾ３が間隔をあけて設けられている。図１２に示すように、この構造においては、床部材のホゾ３の幅とそれに係合する凹溝の幅と同一である。当接する２枚の床部材１間で、対応する側辺のホゾ３同士が継ぎ合わされた後、その継ぎ合わされたホゾの上に長尺状の継ぎ合わせ部材９、若しくは板部材２及びジョイント部材５を嵌合させる。
【００２１】
具体的な実施態様においては、壁部材の外面に外装しやすくするために、図２３又は図２４に示すような構造を有する長尺状ホゾ１０及び壁部材の外装部材（外壁装飾部材）１１を増設する。長尺状ホゾ１０の横断面は、Ｈ字形になっている。差し込みは、図２５に示すように、Ｈ字形の長尺状ホゾ１０の一方の側面をホゾ３に当接させた後、板部材２若しくはジョイント部材５を差し込むことにより行われる。Ｈ字形の長尺状ホゾ１０の他方の側面は壁部材の外装部材１１の差し込みに用いられが、この差し込みは上・下何れも可能である。この構造により壁部材の外装は非常に便利となり、且つ任意に変更することができる。
【００２２】
図８、図９及び図１０に示すように、本実施態様における板部材２には、その上下両側縁に床部材のホゾ３と扉や窓のような付属部材と係合し得る凹溝６が設けられており、左右両側縁に長尺状ホゾ７が設けられている。継ぎ合わせ構造をより堅牢なものとするために、板部材の長尺状ホゾ７を鳩尾形の構造とすることも可能であり、それと係合するジョイント部材５等のその他の構成部材に対しては対応する構造を設ければよい。
【００２３】
図１１、図１２に示すように、本実施態様における板部材２は、その上・下両側縁に設けられた凹溝６に床部材のホゾ３を差し込んで連結される。
【００２４】
図１３に示すように、本実施態様におけるジョイント部材５の上縁、底縁および各側縁の全てには、ジョイント凹溝８が設けられている。そして図１１に示すように、側縁のジョイント凹溝８が板部材の長尺状ホゾ７と係合させられ、上縁および底縁のジョイント凹溝が床部材のホゾ３と係合させられる。
【００２５】
図１４に示すように、ジョイント部材５は、種々の態様を有することができる。例えば、図１３に示すような９０度をなすジョイントと、図１４に示すような「十」字形のジョイントとがある。また、異なる位置における板部材２との間のジョイントに適用し得るように、図１に示すような「一」字形、「Ｔ」字形、及びその他の例えば「Ｙ」字形等、種々の態様がある。
【００２６】
図１５、図１６、図１７及び図１８に示すように、床部材どうしは、中央部が「一」字形、「十」字形、「Ｔ」字形の連結部材によりジョイントする。
【００２７】
図４７、図４８、図４９、図５０及び図５１に示すように、各床部材の間、連結部材２２にてジョイントした後に形成されるホゾ及び凹溝は、板部材とジョイント部材の平面、ホゾ又は凹溝と連結される。
【００２８】
図５２に示すように、床部材１の間は、略「十」字形の連結部材２２により連結する。
【００２９】
また、外壁部の連結に適応すべく、図１５、図１６、図１７及び図１８に示すような個別的に設けたホゾ３に代えて、図１９、図２０、図２１及び図２２に示すような形状をもつホゾ３を配すれば、外壁のフラット性が保たれる。
【００３０】
具体的な実施態様においては、各種の扉や窓のような付属部材も配置する。図２６、図２７に示すように、窓枠１２の構成部材において、その両側縁および上・下縁に、ジョイント部材５及び板部材２と係合し得る窓枠ホゾ１３がそれぞれ設けられており、窓枠１２の外周で外装するため、窓枠の外側に延設された略「Ｌ」字形の長尺状差し込み部材１４を設けることができ、対応する構造をもつ窓枠飾り部材１５を長尺状差し込み部材１４の中に挿入すれば、窓の外面の装飾になる。壁部材の外面の装飾と同様に、この構造が窓の外面装飾品の変更にも非常に便利である。外面の装飾が必要な扉に対しても、対応する部分に「Ｌ」字形の長尺状差し込み部材１４を設けることができる。扉枠の具体的な構造について言えば、その両側縁および上縁を窓枠と同じにして、底縁が床部材のホゾ３と係合する凹溝になっている。
【００３１】
具体的な実施態様においては、板部材２とジョイント部材５の互いに、凹凸部もしくは継ぎ合わせ、若しくはフック合わせ又は種々の組合せからなる連結構造を採用することができ、板部材２の上下両側には、床部材のホゾと係合する凹溝６が設けられ、ジョイント部材５の上縁および底縁に、床部材のホゾと係合する凹溝８が設けられる。
【００３２】
図２８、図２９に示すように、板部材２とジョイント部材５とは、互いの凹凸部連結構造によって、長尺状ホゾ１６と対応する長尺状凹溝１７との係合とすることができる。
【００３３】
図３０、図３１及び図３２、図３３に示すように、板部材２とジョイント部材５との互いの凹凸部連結構造によって、柱状ホゾ１８と対応する孔状凹溝１９との係合とすることもできる。
【００３４】
図３４、図３５に示すように、板部材２とジョイント部材５との互いの凹凸部連結構造によって、歯状ホゾ２０と対応する歯状凹溝２１との係合とすることもできる。
【００３５】
図３６、図３７に示すように、板部材２とジョイント部材５との互いの継ぎ合わせ連結構造によって、平面同士の貼り合わとすることもできる。
【００３６】
図３８、図３９に示すように、板部材２とジョイント部材５との互いの継ぎ合わせ連結構造によって、「Ｌ」字形端面同士、又は段差がある断面の貼り合わせとすることもできる。
【００３７】
図４０、図４１、図４２、図４３、図４４及び図４５に示すように、板部材２とジョイント部材５との間で、異なる形状のフックによる係合構造を採用することもできる。
【００３８】
具体的な実施態様においては、板部材２とジョイント部材５は一体化された部材とすることができ、また、複数の嵌合挿入継ぎ合わせにより構成されることもできる。
【００３９】
壁部材の一部分として、扉や窓としての付属部材が板部材およびジョイント部材との間で、対応する凹凸部構造、もしくは継ぎ合わせ構造またはフック合わせ構造、または種々の組合せからなる連結構造を採用することもできる。
【００４０】
また、室内外に照明を配置して効果を高めるための配線に便利になるように、床部材、壁部材などの各種の構成部材において、配線通路が設けられてもよい。
【図面の簡単な説明】
【００４１】
【図１】本考案の一部の構成部材の構築構造を示す図
【図２】本考案の床部材の継ぎ合わせ構造を示す図
【図３】本考案の長尺状の継ぎ合わせ部材の構造を示す図
【図４】本考案の床部材の構造を示す図
【図５】図４に示した床部材の正面図
【図６】本考案の床部材の別の実施態様における構造を示す図
【図７】図６に示した床部材の正面図
【図８】本考案の板部材の構造を示す図
【図９】図８に示した板部材の側面図
【図１０】図８に示した板部材の底面図（又は上面図）
【図１１】図４に示した床部材と図８に示した板部材との継ぎ合わせ構造を示す図
【図１２】図６に示した床部材と図８に示した板部材との継ぎ合わせ構造を示す図
【図１３】本考案のジョイント部材の構造を示す図
【図１４】本考案のジョイント部材の別の構造を示す図
【図１５】本考案の床部材と連結部材との間の異なる連結構造を示す図
【図１６】本考案の床部材と連結部材との間の異なる連結構造を示す図
【図１７】本考案の床部材と連結部材との間の異なる連結構造を示す図
【図１８】本考案の床部材と連結部材との間の異なる連結構造を示す図
【図１９】本考案の床部材と連結部材との間の別の連結構造を示す図
【図２０】本考案の床部材と連結部材との間の別の連結構造を示す図
【図２１】本考案の床部材と連結部材との間の別の連結構造を示す図
【図２２】本考案の床部材と連結部材との間の別の連結構造を示す図
【図２３】本考案における壁部材の外面装飾部材への差し込み用の長尺状ホゾの異なる構造を示す図
【図２４】本考案において壁部材の外面装飾部材への差し込み用の長尺状ホゾの異なる構造を示す図
【図２５】図２３、図２４に示した長尺状ホゾの使用状態を示す図
【図２６】本考案の窓枠の構造を示す図
【図２７】本考案の窓枠と壁部材と窓枠装飾部材の差し込み構造を示す図
【図２８】本考案の壁部材と凹凸部係合されるジョイント部材の構造を示す図
【図２９】本考案のジョイント部材と凹凸部係合される板部材の構造を示す図
【図３０】本考案の別の実施態様の板部材と凹凸部係合されるジョイント部材の別の実施態様の構造を示す図
【図３１】本考案の別の実施態様のジョイント部材と凹凸部係合される板部材の別の実施態様の構造を示す図
【図３２】本考案の別の実施態様の板部材と凹凸部係合されるジョイント部材の別の実施態様の構造を示す図
【図３３】本考案の別の実施態様のジョイント部材と凹凸部係合される板部材の別の実施態様の構造を示す図
【図３４】本考案の別の実施態様のジョイント部材と凹凸部係合される板部材の別の実施態様の構造を示す図
【図３５】本考案の別の実施態様のジョイント部材と凹凸部係合される板部材の別の実施態様の構造を示す図
【図３６】本考案の別の板部材と互いに継ぎ合わせる別のジョイント部材の構造を示す図
【図３７】本考案の別のジョイント部材と互いに継ぎ合わせる別の板部材の構造を示す図
【図３８】本考案の別の板部材と互いに継ぎ合わせるジョイント部材の別の実施態様の構造を示す図
【図３９】本考案の別のジョイント部材と互いに継ぎ合わせる板部材の別の実施態様の構造を示す図
【図４０】本考案の別の板部材と互いに掛け合わせるジョイント部材の別の実施態様の構造を示す図
【図４１】本考案の別のジョイント部材と互いに掛け合わせる板部材の別の実施態様の構造を示す図
【図４２】本考案の別の板部材と互いに掛け合わせるジョイント部材の別の実施態様の構造を示す図
【図４３】本考案の別のジョイント部材と互いに掛け合わせる板部材の別の実施態様の構造を示す図
【図４４】本考案の別の板部材と互いに掛け合わせるジョイント部材の別の実施態様の構造を示す図
【図４５】本考案の別のジョイント部材と互いに掛け合わせる板部材の別の実施態様の構造を示す図
【図４６】本考案の板部材の底縁のホゾ若しくは平面が、床部材の差し込み溝と床部材のホゾから構成される凹溝内に直接挿入される構造を示す図
【図４７】本考案の床部材と連結部材および板部材とジョイント部材の間の異なる連結構造を示す図
【図４８】本考案の床部材と連結部材および板部材とジョイント部材の間の異なる連結構造を示す図
【図４９】本考案の床部材と連結部材および板部材とジョイント部材の間の異なる連結構造を示す図
【図５０】本考案の床部材と連結部材および板部材とジョイント部材の間の異なる連結構造を示す図
【図５１】本考案の床部材と連結部材および板部材とジョイント部材の間の異なる連結構造を示す図
【図５２】本考案の床部材と連結部材および板部材とジョイント部材の間の異なる連結構造を示す図
【符号の説明】
【００４２】
１              床部材
２              板部材
３              ホゾ
４              差し込み溝
５              ジョイント部材
６              凹溝
７，１０，１６  長尺状ホゾ
９              継ぎ合わせ部材
１１            外壁装飾部材
１２            窓枠
１４            長尺状差し込み部材
１７            長尺状凹溝
１８            柱状ホゾ
２０            歯状ホゾ
２１            歯状凹溝
２２            連結部材
【図１】
0003117169.tif 000003
【図２】
0003117169.tif 000004
【図３】
0003117169.tif 000005
【図４】
0003117169.tif 000006
【図５】
0003117169.tif 000007
【図６】
0003117169.tif 000008
【図７】
0003117169.tif 000009
【図８】
0003117169.tif 000010
【図９】
0003117169.tif 000011
【図１０】
0003117169.tif 000012
【図１１】
0003117169.tif 000013
【図１２】
0003117169.tif 000014
【図１３】
0003117169.tif 000015
【図１４】
0003117169.tif 000016
【図１５】
0003117169.tif 000017
【図１６】
0003117169.tif 000018
【図１７】
0003117169.tif 000019
【図１８】
0003117169.tif 000020
【図１９】
0003117169.tif 000021
【図２０】
0003117169.tif 000022
【図２１】
0003117169.tif 000023
【図２２】
0003117169.tif 000024
【図２３】
0003117169.tif 000025
【図２４】
0003117169.tif 000026
【図２５】
0003117169.tif 000027
【図２６】
0003117169.tif 000028
【図２７】
0003117169.tif 000029
【図２８】
0003117169.tif 000030
【図２９】
0003117169.tif 000031
【図３０】
0003117169.tif 000032
【図３１】
0003117169.tif 000033
【図３２】
0003117169.tif 000034
【図３３】
0003117169.tif 000035
【図３４】
0003117169.tif 000036
【図３５】
0003117169.tif 000037
【図３６】
0003117169.tif 000038
【図３７】
0003117169.tif 000039
【図３８】
0003117169.tif 000040
【図３９】
0003117169.tif 000041
【図４０】
0003117169.tif 000042
【図４１】
0003117169.tif 000043
【図４２】
0003117169.tif 000044
【図４３】
0003117169.tif 000045
【図４４】
0003117169.tif 000046
【図４５】
0003117169.tif 000047
【図４６】
0003117169.tif 000048
【図４７】
0003117169.tif 000049
【図４８】
0003117169.tif 000050
【図４９】
0003117169.tif 000051
【図５０】
0003117169.tif 000052
【図５１】
0003117169.tif 000053
【図５２】
0003117169.tif 000054
【手続補正書】
【提出日】平成14年12月24日(2002.12.24)
【手続補正１】
【補正対象書類名】実用新案登録請求の範囲
【補正対象項目名】全文
【補正方法】変更
【補正の内容】
【実用新案登録請求の範囲】
【請求項１】
床部材と、壁部材と、扉や窓のような付属部材とを備える差し込み式組み立て建築模型であって、
前記床部材が、互いに継ぎ合わされ、又は連結部材で連結し、その継ぎ合わせ部には、長尺状の継ぎ合わせ部材が嵌合挿入され、
前記壁部材が、板部材とジョイント部材とを備え、前記板部材と前記ジョイント部材とは互いに嵌合挿入され、又は結合され
前記床部材と前記板部材、前記壁部材と前記ジョイント部材とが互いに嵌合挿入されることにより結合されることを特徴とする差し込み式組み立て建築模型。
【請求項２】
前記継ぎ合わされる床部材の各辺縁にホゾが設けられており、前記ホゾと前記床部材の側縁とはＨ字形を呈し、前記床部材の側縁の上・下外縁には延出する差し込み溝が設けられており、
前記床部材を互いに継ぎ合わせる長尺状の継ぎ合わせ部材は、その底面が前記ホゾと係合する凹溝に、そしてその上面が差し込み溝と係合する凸状に形成されたものであり、
前記板部材と前記ジョイント部材との間には、凹凸部、継ぎ合わせ、又はフック式の連結構造を採用し、
前記板部材の上・下縁には、前記床部材のホゾと係合する凹溝、平面、又はホゾが設けられ、その凹溝、平面、又はホゾが前記床部材の差し込み溝と前記床部材のホゾから構成される凹溝内に直接挿入され、
前記ジョイント部材の上・下縁には、前記床部材のホゾと係合する凹溝、平面、又はホゾが設けられ、その凹溝、平面、又はホゾが前記床部材の差し込み溝と前記床部材のホゾから構成される凹溝内に直接挿入されることを特徴とする請求項１に記載の差し込み式組み立て建築模型。
【請求項３】
前記扉や窓のような付属部材が、扉や窓枠の周辺と対応位置にある板部材またはジョイント部材とが差し込まれて係合され、前記扉や窓枠の外側に「Ｌ」字形の長尺状差し込み部材が延設されているものであることを特徴とする請求項１に記載の差し込み式組み立て建築模型。
【請求項４】
前記連結する床部材の各辺には、前記床部材の面と平行する凹溝またはホゾが設けられており、前記床部材側縁の上・下の外縁には延出する差し込み溝または平面が設けられており、
さらに、床部材の連結部材を設けており、前記床部材の連結部材の中央は一字形、十字形、またはＴ字形を呈し、前記連結部材の両端と前記床部材との連結が、直接連結、燕尾状またはＴ字形の係合となり、前記床部材同士と前記連結部材とで凹溝またはホゾを構成し、そこに前記板部材と前記ジョイント部材の上・下ホゾ又は凹溝とが差し込まれて連結されることを特徴とする請求項１に記載の差し込み式組み立て建築模型。
【請求項５】
前記床部材の各辺縁にホゾが設けられており、そのホゾの幅が、それと係合する凹溝の溝幅の１／２であり、突き合わせる２枚の床部材が、前記ホゾにより継ぎ合わされ、
前記床部材の外側縁において、一字形、又はＴ字形であって溝幅が１／２の長尺状ホゾによって係合されることを特徴とする請求項１に記載の差し込み式組み立て建築模型。
【請求項６】
前記床部材の各辺縁にホゾが設けられており、ホゾが間隔をあけて設けられており、２枚の前記床部材の間に突き合わせるホゾが継ぎ合わせることを特徴とする請求項１に記載の差し込み式組み立て建築模型。
【請求項７】
前記板部材と前記ジョイント部材との間に嵌合挿入構造があり、その嵌合挿入構造が凹凸部連結構造であり、ホゾと凹溝とが係合される構造をなし、
前記ホゾが、長尺状のホゾ、柱状のホゾ、又は歯状のホゾであり、
前記凹溝が、前記ホゾに対応して設けられた長尺状の凹溝、又は柱状の凹溝若しくは歯状の凹溝であることを特徴とする請求項１に記載の差し込み式組み立て建築模型。
【請求項８】
前記板部材とジョイント部材とを互いに継ぎ合わせる構造であり、その構造が平面、若しくはＬ字形断面、又は段差がある端面を互いに貼り合わせることによるものであることを特徴とする請求項１に記載の差し込み式組み立て建築模型。
【請求項９】
前記板部材とジョイント部材とを一体化させることができ、また、複数の嵌合により継ぎ合わせることもできることを特徴とする請求項１に記載の差し込み式組み立て建築模型。
【請求項１０】
断面がＨ字形であるホゾ及び外壁装飾部材が設けられており、前記Ｈ字形の長尺状ホゾの一方の側縁がホゾと継ぎ合わせ、板部材およびジョイント部材の他方の側縁の凹溝が、外壁装飾部材と差し込みにより連結することを特徴とする請求項１に記載の差し込み式組み立て建築模型。